(57)【要約】【課題】沸き増し運転の頻度を低減した貯湯タンクの断熱構造を提供する。【解決手段】貯湯タンク７の周壁で高さ方向に設置され貯湯の温度を検する複数の貯湯温度センサ２１ａ〜２１ｅと、該貯湯温度センサ２１ｂが検知した貯湯温度が沸き増し運転が必要な第１所定温度Ｔ１以下を検知すると、加熱手段２による沸き増し運転を開始させると共に、この貯湯温度センサ２１ｂより低い位置に備えられた貯湯温度センサ２１ｄが沸き増し運転を終了させる第１所定温度Ｔ１より高温の第２所定温度Ｔ２以上を検知すると、加熱手段２による沸き増し運転を終了させる制御を行う制御手段２２とを備えたもので、前記貯湯タンク７の天部から前記沸き増し運転を開始させる貯湯温度センサ２１ｂを含む貯湯タンク７上部外周を真空断熱材２３で覆い、前記貯湯タンク７の底部から前記沸き増し運転を終了させる貯湯温度センサ２１ｄを含む貯湯タンク７下部外周を発泡断熱材２４で覆う。【選択図】  図２
2015218932.tif 000002
【特許請求の範囲】
【請求項１】
加熱手段で加熱された温水を貯湯する貯湯タンクと、該貯湯タンクの周壁で高さ方向に設置され貯湯の温度を検する複数の貯湯温度センサと、該貯湯温度センサが検知した貯湯温度が沸き増し運転が必要な第１所定温度以下を検知すると、加熱手段による沸き増し運転を開始させると共に、この貯湯温度センサより低い位置に備えられた貯湯温度センサが沸き増し運転を終了させる第１所定温度より高温の第２所定温度以上を検知すると、加熱手段による沸き増し運転を終了させる制御を行う制御手段とを備えたものに於いて、前記貯湯タンクの天部から前記沸き増し運転を開始させる貯湯温度センサを含む貯湯タンク上部外周を真空断熱材で覆い、前記貯湯タンクの底部から前記沸き増し運転を終了させる貯湯温度センサを含む貯湯タンク下部外周を発泡断熱材で覆った事を特徴とする貯湯タンクの断熱構造
【発明の詳細な説明】
【技術分野】
【０００１】
この発明は、ヒートポンプ式給湯機の貯湯タンクの保温、断熱を行う真空断熱材を備えた貯湯タンクの断熱構造に関するものである。
【背景技術】
【０００２】
従来よりこの種のものに於いては、貯湯タンクと外装ケースとの間に、上中下に３分割した発泡の断熱材を凹凸の嵌合で連結し、貯湯タンク内の湯水を断熱材で長時間に渡り良好に断熱するものであった。（特許文献１参照。）
又薄くて断熱効果が高い真空断熱材を、貯湯タンクの中央円筒部を覆うようにして使用しているものもある。（特許文献２参照。）
【先行技術文献】
【特許文献】
【０００３】
【特許文献１】特許第３５６１２３９号公報
【特許文献２】特許第４２５４９０２号公報
【発明の概要】
【発明が解決しようとする課題】
【０００４】
ところでこの従来のものでは、昼間の割高な電気を使用する沸き増し運転については何ら考慮されておらず、即ち、沸き増し運転を開始させる貯湯タンク中央部分の湯温の温度低下を阻止することで、沸き増し回数を減らして消費電力量を低減して効率を良くしたり、又沸き増し運転終了の貯湯タンク内の湯温を検知する貯湯温度センサが備えられている該貯湯タンク下部まで高価な真空断熱材で断熱して器具全体が高価となる課題を有するものであった。
【課題を解決するための手段】
【０００５】
この発明は上記課題を解決するために、特にその構成を、加熱手段で加熱された温水を貯湯する貯湯タンクと、該貯湯タンクの周壁で高さ方向に設置され貯湯の温度を検する複数の貯湯温度センサと、該貯湯温度センサが検知した貯湯温度が沸き増し運転が必要な第１所定温度以下を検知すると、加熱手段による沸き増し運転を開始させると共に、この貯湯温度センサより低い位置に備えられた貯湯温度センサが沸き増し運転を終了させる第１所定温度より高温の第２所定温度以上を検知すると、加熱手段による沸き増し運転を終了させる制御を行う制御手段とを備えたものに於いて、前記貯湯タンクの天部から前記沸き増し運転を開始させる貯湯温度センサを含む貯湯タンク上部外周を真空断熱材で覆い、前記貯湯タンクの底部から前記沸き増し運転を終了させる貯湯温度センサを含む貯湯タンク下部外周を発泡断熱材で覆ったものである。
【発明の効果】
【０００６】
以上のようにこの発明によれば、沸き増し運転開始の条件である貯湯タンク内の中央部の湯温が第１所定温度以下かを検知する貯湯温度センサを含んで、貯湯タンクの天部から中央部分までを真空断熱材で覆い、沸き増し運転終了の条件である貯湯タンク内の下部の湯温が第１所定温度より高温の第２所定温度以上かを検知する貯湯温度センサを含んで、貯湯タンクの底部から下部を通常の発泡断熱材で覆ったことにより、貯湯タンクの中央部から天部までの貯湯温水の放熱が抑制され、貯湯温度が下がらないので沸き増し運転の頻度が減り、無駄な電力消費がなく経済的であり、又沸き増し運転の終了温度を検知する貯湯温度センサは通常の発泡断熱材で断熱されているので、終了温度の検知のみで良好な断熱を必要としない部分で高価な真空断熱材の使用がなく、全体として安価に提供することが出来るものである。
【図面の簡単な説明】
【０００７】
【図１】この発明の断熱構造が施される一実施形態を示す貯湯式給湯機の概略構成図。
【図２】貯湯タンクの断熱構造を示す説明図。
【図３】同要部の断面図。
【発明を実施するための形態】
【０００８】
次にこの発明の一実施形態を図面に基づいて説明する。
１は貯湯タンクユニットを構成する外装ケース、２はヒートポンプユニットよりなる加熱手段、３は給湯栓、４はリモートコントローラ、５は浴槽、６は電源である。
【０００９】
前記外装ケース１内には、湯水を貯湯する貯湯タンク７と、貯湯タンク７の上部に接続された出湯管８と、貯湯タンク７の下部に接続された給水管９と、出湯管８からの高温水と給水管９から分岐されたバイパス管１０からの低温水とを混合するミキシング弁１１と、ミキシング弁１１の下流に接続された給湯管１２と、給湯管１２に設けられた給湯温度センサ１３と、給湯管１１に設けられた給湯流量センサ１４と、給水管９に設けられた給水温度センサ１５と、給湯管１２から分岐され浴槽５に接続された湯張り管１６と、この湯張り管１６の開閉を行う湯張り弁１７と、湯張り管１６を流れる流量を積算する湯張り流量センサ１８と、出湯管８から分岐して接続された貯湯タンク７の過圧を逃す過圧逃し弁１９と、給水管９に設けられた給水圧を減圧する減圧弁２０とが備えられている。
【００１０】
前記貯湯タンク７の周壁で高さ方向には所定の間隔を置いて該貯湯タンク７内の貯湯温度を検知する５個の貯湯温度センサ２１ａ〜２１ｅが上から順に備えられ、上から２番目の貯湯温度センサ２１ｂが沸き増し開始温度である第１所定温度Ｔ１以下ここでは４０℃以下を検知して加熱手段２による沸き増し運転を制御手段２２が行わせ、そして下から２番目の貯湯温度センサ２１ｄが沸き増し終了温度である第１所定温度Ｔ１より高温の第２所定温度Ｔ２以上ここでは８０℃以上を検知することで制御手段２２に沸き増し運転を終了させるものである。
【００１１】
２３は貯湯タンク７の天部から前記沸き増し運転を開始させる貯湯温度センサ２１ｂを含む貯湯タンク７上部外周を覆った真空断熱材で、貯湯タンク７の中央部から天部までの貯湯温水の放熱を抑制して、貯湯温度が下がらないようにすることで沸き増し運転の頻度を減らして、無駄な電力消費をなくするようにしたものである。
【００１２】
２４は貯湯タンク７の底部から前記沸き増し運転を終了させる貯湯温度センサ２１ｄを含む貯湯タンク７下部外周を覆った真空断熱材２３より断熱能力が低い通常の発泡断熱材で、終了温度の検知のみで良好な断熱を必要としない部分で高価な真空断熱材２３を使用せず、全体として安価に提供することが出来るものであり、更に真空断熱材２３と発泡断熱材２４との継ぎ目は、発泡断熱材２４の上端内側に切り欠き２５を形成し、この切り欠き２５に真空断熱材２３の下端を挿入させることで、継ぎ目が真空断熱材２３と発泡断熱材２４とがオーバーラップした形となって放熱を確実に防止することが出来るものである。
２６は貯湯タンク７と加熱手段２とを接続して湯水を循環させるヒーポン往き管２７とヒーポン戻り管２８からなる加熱循環回路である。
【００１３】
前記加熱手段２は、二酸化炭素冷媒を圧縮するコンプレッサー２９と、凝縮器としての冷媒水熱交換器３０と、減圧器３１と、蒸発器としての空気熱交換器３２よりなるヒートポンプ回路３３と、空気熱交換器３２に送風する送風機３４と、加熱循環回路２６途中に設けられた能力可変の循環ポンプ３５と、加熱循環回路２６の冷媒水熱交換器３０入口側に設けられ、冷媒水熱交換器３０に流入する湯水の温度を検出する熱交入口温度センサ３６と、加熱循環回路２６の冷媒水熱交換器３０出口側に設けられ、冷媒水熱交換器３０から流出する湯水の温度を検出する熱交出口温度センサ３７と、この加熱手段２の制御を行うマイコンで構成される加熱制御部３８とを備えて構成されている。
【００１４】
ここで、前記電源６は時間帯別電灯であり、夜間（ここでは２３時から翌７時まで）が割安な電力料金設定となっているもので、この割安な夜間電力を用いて夜間に一日に必要な貯湯熱量を沸かし上げて使用するものであり、又この時間帯別電灯では昼間（７時から２３時まで）にも電力は供給され、残湯量が少なくなったときに追加の沸き増し運転が行われるものである。なお、前記電源６は制御手段２２に接続され、この制御手段２２からリモートコントローラ４および加熱制御部３８に有線にて通信信号が重畳されて電力供給されるものである。
【００１５】
そして、夜間時間帯になると前記制御手段２２が翌日に必要な貯湯熱量を演算し、この目標となる貯湯熱量を夜間時間帯の終了時までに沸き上げるよう加熱制御部３８に指示してヒートポンプ回路３３を作動させ、加熱循環回路２６の循環ポンプ３５を駆動開始する。  この循環ポンプ３５の駆動により貯湯タンク７下部から取り出された湯水がヒーポン往き管２７を通り加熱手段２の冷媒水熱交換器３０に流入して加熱され、ヒーポン戻り管２８を介して貯湯タンク７の上部に戻されることにより高温の湯が貯湯される。
【００１６】
更に貯湯タンク７の周壁にの最下部に設けられた貯湯温度センサ２１ｅが所定温度の高温水が貯湯されたことを検出するか、又は、熱交入口温度センサ３６が所定温度以上を検出すると、制御手段２２が加熱制御部３８へ加熱動作の停止を指令し、ヒートポンプ回路３３と循環ポンプ３５の作動が停止され、夜間時間帯の終了時までに貯湯動作を終了するものである。
【００１７】
前記リモートコントローラ４には、給湯設定温度を設定する温度設定スイッチ３９、浴槽５への湯張りを指示する湯張りスイッチ４０、湯張り量を設定する湯張り量設定スイッチ４１、及び給湯可能な残時間を表示させる残時間表示スイッチ４２とを有した操作部４３と、液晶画面からなる表示部４４と、これら操作部４３及び表示部４４を制御すると共に、前記制御手段２２と通信を行うマイコンで構成されたリモコン制御部４５を備えており、通常運転時は前記表示部４４に操作部４３で設定された給湯設定温度や時刻情報及び貯湯温度センサ２１ａ〜２１ｅで検知する残り貯湯量等が表示されるものである。
【００１８】
次に給湯栓３を開くと、給水管９からの給水圧により貯湯タンク７上部の高温水が出湯管８に押し出され、制御手段２２により制御されるミキシング弁１１にて、バイパス管１０の低温水と給湯温度センサ１３の検出する温度が、前記リモートコントローラ４の操作部４３で設定された給湯設定温度になるように混合されて、給湯管１２を介して給湯されるものである。
【００１９】
もしも給湯の使用量が通常よりも多くなってしまい、昼間電力時間帯にて貯湯温度センサ２１ｂが第１所定温度Ｔ１以下を検知すると制御手段２２を介して沸き増し運転が開始されるが、この貯湯温度センサ２１ｂを含む貯湯タンク７の天部から上部は真空断熱材２３で覆われているので、断熱効果が大きく放熱が抑制されて高温状態が長時間維持されることとなり、沸き増し運転の頻度が減り無駄な電力消費を抑えることが出来るものであり、そして万一沸き増し運転が開始された場合、貯湯タンク７の下から２番目の貯湯温度センサ２１ｄが第２所定温度以上を検知すると沸き増し運転を終了するが、この貯湯温度センサ２１ｄを含む貯湯タンク７の底部から下部は真空断熱材２３より断熱能力が低い通常の発泡断熱材２４で覆われているので、終了温度の検知のみで良好な断熱を必要としない部分で高価な真空断熱材２３を使用せず、全体として安価に提供することが出来るものである。
【符号の説明】
【００２０】
２  加熱手段
７  貯湯タンク
２１ａ〜２１ｅ  貯湯温度センサ
２２  制御手段
２３  真空断熱材
２４  発泡断熱材
【図１】
2015218932.tif 000003
【図２】
2015218932.tif 000004
【図３】
2015218932.tif 000005